(57)【要約】【課題】半田付け作業に要する手間を削減することが可能であると共に、半田接続の信頼性向上を実現することができる配線器具の端子構造を提供することにある。【解決手段】建物面Ｆに取り付けられるベース部品２と、このベース部品２に連結されるボディ部品３とを備えてなるものであり、ベース部品２の内部には外部配線と各別に接続される少なくとも２個の配線接続金具５が配設されている一方、ボディ部品３の内部には、回路基板の端子ピン８それぞれが半田付けされる半田付け接続部分６ｂと、前記配線接続金具５の各々に連結される連結接続部分６ａとを具備した少なくとも２個の内部接続金具６が配設されており、かつ、これら内部接続金具６の半田付け接続部分６ｂそれぞれはボディ部品３の中央付近に配置されている。【選択図】　　図１
2004056925.tif 000002
【特許請求の範囲】
【請求項１】
建物面に固定されるベース部品と、このベース部品に連結されるボディ部品とを備えてなる配線器具の端子構造であって、
ベース部品の内部には外部配線と各別に接続される少なくとも２個の配線接続金具が配設されている一方、ボディ部品の内部には、回路基板の端子ピンそれぞれが半田付けされる半田付け接続部分と、前記配線接続金具の各々に連結される連結接続部分とを具備した少なくとも２個の内部接続金具が配設されており、かつ、これら内部接続金具の半田付け接続部分それぞれはボディ部品の中央付近に配置されていることを特徴とする配線器具の端子構造。
【請求項２】
配線接続金具及び内部接続金具のそれぞれは２個で１組とされており、複数組ずつが配設されていることを特徴とする請求項１に記載した配線器具の端子構造。
【請求項３】
内部接続金具それぞれの半田付け接続部分同士は平面視で平行となる位置ごとに配置されていることを特徴とする請求項１または請求項２に記載した配線器具の端子構造。
【請求項４】
内部接続金具それぞれが具備している半田付け接続部分と連結接続部分との間には、これらよりも細幅とされた中間接続部分が介装されていることを特徴とする請求項１〜請求項３のいずれかに記載した配線器具の端子構造。
【請求項５】
内部接続金具それぞれの半田付け接続部分は平面視略三角形状を有しており、その角部分の頂角は、これらの半田付け接続部分と半田付けされる端子ピンのそれぞれがボディ部品の中心点に対してなす角度と略等しく設定されていることを特徴とする請求項１〜請求項４のいずれかに記載した配線器具の端子構造。
【発明の詳細な説明】
【０００１】
【発明の属する技術分野】
本発明は配線器具の端子構造に係り、特には、ベース部品と連結されるボディ部品の内部に配設された内部接続金具が具備している半田付け接続部分の配置位置に関する。
【０００２】
【従来の技術】
煙感知器などの配線器具３１は、図５で示すように、建物面である室内天井面Ｆなどに固定して取り付けられるベース部品３２と、このベース部品３２に着脱可能で連結されるボディ部品３３とを備えている。そして、平面視略円形状を有するベース部品３２の内部には、図６で示すように、複数個の配線接続金具３４が配設されており、これらの配線接続金具３４それぞれには、室内天井面Ｆなどに設置された外部配線（図示省略）がネジ止めなどでもって電気的かつ機械的に接続されている。
【０００３】
また、ベース部品３２と同様の平面視略円形状を有するボディ部品３３は回動嵌合などによってベース部品３２と連結されており、図７で示すように、ボディ部品３３内に配設された仕切り板３５上には、ベース部品３２の各配線接続金具３４と各別に連結されて電気的に導通する複数個の内部接続金具３６が配設されている。すなわち、これら内部接続金具３６の各々は、配線接続金具３４を介して外部配線と電気的に導通しあっている。
【０００４】
さらに、ボディ部品３３の内部には各種の機能電子部品が搭載済みの回路基板（図示省略）が配設されており、この回路基板からは複数本の端子ピン３７が引き出されている。そして、回路基板と電気的に導通しあった端子ピン３７のそれぞれは、内部接続金具３６それぞれの半田付け接続部分３６ａと半田付けされることによって電気的かつ機械的に接続されている。
【０００５】
【発明が解決しようとする課題】
ところで、配線器具３１のボディ部品３３においては、図７で示すように、内部接続金具３６それぞれの近辺に樹脂成形品であるボディ部品３３の周縁部分が位置している。そこで、内部接続金具３６の半田付け接続部分３６ａと回路基板の端子ピン３７とを半田付けでもって接合するに際しては、半田ごてのヘッド部が各内部接続金具３６の近辺に位置しているボディ部品３３の周縁部分と接しないよう留意する必要があり、半田付け作業に手間を要することになっていた。
【０００６】
また、ある１個の内部接続金具３６に対する半田付けを実行したうえで他の内部接続金具３６に対する半田付けを実行する場合には、半田ごてを平行移動した後、ヘッド部の移動方向を変えるために回転移動させることが必要となるが、このような手順を採用したのでは、ボディ部品３３の効率的な生産が困難となる。
【０００７】
さらに、半田ごてを回転移動させるではなく、ボディ部品３３の方を回転移動させることも考えられる。しかしながら、半田付け直後の時点、つまり、半田が固化する以前の時点でボディ部品３３を回転移動させることを行うと、特に、鉛共晶半田と比較して固化温度の幅が大きい鉛フリー半田であれば、半田の一部が流れることとなり、半田接続の信頼性が低下することになってしまう。
【０００８】
さらにまた、ボディ部品３３の内部に配設された内部接続金具３６と同数の半田ごてを設置し、これらの半田ごてを使用して略同時的な半田付けを実行することも考えられる。ところが、内部接続金具３６それぞれの半田付け接続部分３６ａ同士が接近している場合には、半田ごてや半田供給装置などのスペースを確保できないため、実現不可なのが実情である。
【０００９】
本発明はこれらの不都合に鑑みて創案されたものであり、半田付け作業に要する手間を削減することが可能であると共に、半田接続の信頼性向上を実現することができる配線器具の端子構造を提供することを目的としている。
【００１０】
【課題を解決するための手段】
請求項１記載の発明に係る配線器具の端子構造は、建物面に固定されるベース部品と、このベース部品に連結されるボディ部品とを備えてなるものであって、ベース部品の内部には外部配線と各別に接続される少なくとも２個の配線接続金具が配設されている。また、ボディ部品の内部には、回路基板の端子ピンそれぞれが半田付けされる半田付け接続部分と、前記配線接続金具の各々に連結される連結接続部分とを具備した少なくとも２個の内部接続金具が配設されており、これら内部接続金具の半田付け接続部分それぞれはボディ部品の中央付近に配置されていることを特徴とする。
【００１１】
請求項２記載の発明に係る配線器具の端子構造は請求項１に記載のものであって、配線接続金具及び内部接続金具のそれぞれは２個で１組とされており、複数組ずつが配設されていることを特徴とする。
【００１２】
請求項３記載の発明に係る配線器具の端子構造は請求項１または請求項２に記載したものであり、内部接続金具それぞれの半田付け接続部分同士は平面視で平行となる位置ごとに配置されていることを特徴とする。
【００１３】
請求項４記載の発明に係る配線器具の端子構造は請求項１〜請求項３のいずれかに記載したものであり、内部接続金具それぞれが具備している半田付け接続部分と連結接続部分との間には、これらよりも細幅とされた中間接続部分が介装されていることを特徴とする。
【００１４】
請求項５記載の発明に係る配線器具の端子構造は請求項１〜請求項４のいずれかに記載したものであって、内部接続金具それぞれの半田付け接続部分は平面視略三角形状を有しており、その角部分の頂角は、これらの半田付け接続部分と半田付けされる端子ピンのそれぞれがボディ部品の中心点に対してなす角度と略等しく設定されていることを特徴とする。
【００１５】
【発明の実施の形態】
図１は本発明の実施の形態に係る配線器具の外部構造を示す斜視図であり、図２は本実施の形態に係る配線器具が備えるベース部品の内部構造を示す側断面図及び下側平面図である。そして、図３は本実施の形態に係る配線器具が備えるボディ部品の内部構造を示す側断面図及び上側平面図であり、図４はボディ部品における内部接続金具の配置状態を模型化して示す説明図である。
【００１６】
本実施の形態に係る配線器具１は防災用の煙感知器などであり、図１で示すように、建物面である室内天井面Ｆなどに固定されるベース部品２と、このベース部品２に着脱可能として連結されるボディ部品３とを備える。そして、平面視略円形状を有するベース部品２の内部には、図２で示すように、２個で１組とされた２組の配線接続金具５、つまり、計４個の配線接続金具５が位置決めしたうえで配設されている。
【００１７】
また、これら配線接続金具５の各々に対しては、室内天井面Ｆなどに設置されたうえで固定面側から挿通してきた外部配線（図示省略）が電気的かつ機械的に接続されている。なお、これらの配線接続金具５は、その先端部分がいわゆる鰐口構造とされたもの、つまり、互いに対向配置された一対の金属片同士でもって後述する内部接続金具６の連結接続部分６ａを挟み込んで支持する構成とされたものとなっている。
【００１８】
一方、ベース部品２と同様の平面視略円形状を有するボディ部品３は、回動嵌合などの方法によってベース部品２と一体的に重なりあうようにして連結されるものであり、図３で示すように、ボディ部品３の内部に配設された仕切り板７上には、ベース部品２の配線接続金具５と各別に連結されて電気的に導通することになる複数個の内部接続金具６、つまり、２個で１組とされた２組で計４個の内部接続金具６が位置決めしたうえで配設されている。なお、これら内部接続金具６の各々は、仕切り板７から上側に突出した状態として配設されている。
【００１９】
そして、内部接続金具６のそれぞれは金属板によって作製されたものであり、図３から分かるように、各内部接続金具６は、連結接続部分６ａと、半田付け接続部分６ｂと、これらのいずれよりも細幅とされたうえで連結接続部分６ａ及び半田付け接続部分６ｂ間に介装された中間接続部分６ｃとが互いに連結された構造を有している。なお、各内部接続金具６の連結接続部分６ａはベース部品２内に配設された配線接続金具５と連結されるのに伴って外部配線（図示省略）と電気的かつ機械的に接続されるものである一方、半田付け接続部分６ｂのそれぞれはボディ部品３内に収納された回路基板の端子ピン８と各別に半田付けされるものとなっている。
【００２０】
ところで、このような構造、つまり、細幅の中間接続部分６ｃでもって連結接続部分６ａ及び半田付け接続部分６ｂが連結された構造の内部接続金具６である場合には、半田付け作業時における半田が固化するまでの間、半田ごてから半田付け接続部分６ｂへと伝わる熱が連結接続部分６ａへと無駄に伝わってしまうことを抑制し得るという利点が確保される。
【００２１】
また、内部接続金具６それぞれの半田付け接続部分６ｂは平面視略三角形状とされており、これらの半田付け接続部分６ｂはボディ部品３の中央付近に集まるようにして配置されている。そして、図４で示すように、平面視略三角形状を有する半田付け接続部分６ｂそれぞれの角部分の頂角θは、これらの半田付け接続部分６ｂに対して半田付けされる端子ピン８、つまり、各種の機能電子部品を搭載してボディ部品３内に配設された回路基板（図示省略）から引き出された４本の端子ピン８同士がボディ部品３の中心点Ｐに対してなす角度ψと略等しく設定されている。
【００２２】
このようにしていれば、内部接続金具６のいずれもが同一形状であることになり、これらの内部接続金具６を１つの金型でもって作製することが可能となるため、コスト低減を図れるばかりか、これらの組立性が向上するという利点が確保される。なお、この際にあっては、２個１組で合計４個の内部接続金具６それぞれをボディ部品３の中心点Ｐに対する点対称の位置ごとに配置しておくことが好ましい。
【００２３】
さらに、このとき、ボディ部品３の中央付近に配置された各内部接続金具６の半田付け接続部分６ｂは、ボディ部品３を平面視した場合に平行となる位置ごとを選択したうえで配置されている。すなわち、これら内部接続金具６の半田付け接続部分６ｂそれぞれは回路基板の端子ピン８と各別に半田付けされるものであり、具体的には、図４でも示すように、２個で１組となるうちの一方の内部接続金具６の半田付け接続部分６ｂを形成している１つの外形ラインＸと、他方の内部接続金具６の半田付け接続部分６ｂを形成している１つの外形ラインＹとが隣り合ったライン同士であって互いに平行となるようにして配置されている。
【００２４】
このような配置状態としている場合には、ある１個の内部接続金具６に対する半田付けを実行した後、半田ごてのヘッド部を平行移動するだけのことにより、他の内部接続金具６に対する半田付けを実行することが可能になるという利点が確保される。
【００２５】
なお、本実施の形態に係る配線器具１では、２個で１組とされた２組の配線接続金具５、つまり、計４個の配線接続金具５をベース部品２の内部に配設しており、かつ、同数の内部接続金具６をボディ部品３の内部に配設しているが、このような構造である必要があるわけではない。すなわち、ベース部品２及びボディ部品３の各々に対し、少なくとも２個ずつ、つまり、１組の配線接続金具５及び内部接続金具６が配設されただけの構成、または、３組以上ずつの配線接続金具５及び内部接続金具６が配設された構成のいずれであってもよい。
【００２６】
さらにまた、本実施の形態では配線器具１が煙感知器であるとしているが、本発明の適用範囲が煙感知器のみに限定されることはなく、例えば、炎感知器や熱感知器、あるいは、超音波センサなどのような他の配線器具１に対しても本発明の適用が可能となることは勿論である。
【００２７】
【発明の効果】
請求項１記載の発明に係る配線器具の端子構造は、少なくとも２個の配線接続金具が配設されたベース部品と連結されるボディ部品の内部に少なくとも２個の内部接続金具が配設されており、これら内部接続金具の半田付け接続部分それぞれがボディ部品の中央付近に配置されていることを特徴とする。また、請求項２記載の発明に係る配線器具の端子構造は、配線接続金具及び内部接続金具のそれぞれが２個で１組とされたものであり、これらの複数組ずつが配設されていることを特徴としている。
【００２８】
このような構造であれば、内部接続金具の半田付け接続部分がボディ部品の中央付近に配置されているため、内部接続金具それぞれの近辺に樹脂成形品であるボディ部品の周縁部分が位置することは起こらない。従って、半田ごてのヘッド部がボディ部品の周縁部分と接しないよう留意する必要はないことになり、半田付け作業に要する手間を大幅に削減することができる。
【００２９】
請求項３記載の発明に係る配線器具の端子構造は、内部接続金具それぞれの半田付け接続部分同士が平面視で平行となる位置ごとに配置されていることを特徴とする。このような構成である場合には、半田ごてを平行移動するだけのことによって内部接続金具の半田付けを継続的に実行し得るため、ボディ部品を効率的に生産することが可能となるばかりか、半田接続の信頼性の向上を図ることができるという効果が得られる。
【００３０】
請求項４記載の発明に係る配線器具の端子構造では、内部接続金具それぞれの半田付け接続部分及び連結接続部分間に対し、これらよりも細幅とされた中間接続部分を介装しておくことが行われている。そのため、半田付け作業時における熱が半田ごてから半田付け接続部分を通じて連結接続部分へと無駄に伝わってしまうのを抑制することが可能となり、周辺部分にまで熱影響が及ぶことを防止しながら半田付け作業の作業時間を短縮することができるという効果が得られる。
【００３１】
請求項５記載の発明に係る配線器具の端子構造は、内部接続金具それぞれの半田付け接続部分が平面視略三角形状を有しており、その角部分の頂角は、これらの半田付け接続部分と半田付けされる端子ピンのそれぞれがボディ部品の中心点に対してなす角度と略等しく設定されていることを特徴とする。このような構成であれば、内部接続金具のいずれもが同一形状を有しており、これらの内部接続金具を１つの金型でもって作製することが可能となるため、作製時のコスト低減を実現すると共に、これらの組立性向上をも実現できるという効果が得られる。
【図面の簡単な説明】
【図１】本実施の形態に係る配線器具の外部構造を示す斜視図である。
【図２】本実施の形態に係る配線器具が備えるベース部品の内部構造を示す側断面図及び下側平面図である。
【図３】本実施の形態に係る配線器具が備えるボディ部品の内部構造を示す側断面図及び上側平面図である。
【図４】本実施の形態に係る配線器具が備えるボディ部品における内部接続金具の配置状態を模型化して示す説明図である。
【図５】従来の形態に係る配線器具の外部構造を示す斜視図である。
【図６】従来の形態に係る配線器具が備えるベース部品の内部構造を示す下側平面図である。
【図７】従来の形態に係る配線器具が備えるボディ部品の内部構造を示す側断面図及び上側平面図である。
【符号の説明】
１　　配線器具
２　　ベース部品
３　　ボディ部品
５　　配線接続金具
６　　内部接続金具
６ａ　連結接続部分
６ｂ　半田付け接続部分
６ｃ　中間接続部分
８　　端子ピン
Ｆ　　室内天井面（建物面）
【図１】
2004056925.tif 000003
【図２】
2004056925.tif 000004
【図３】
2004056925.tif 000005
【図４】
2004056925.tif 000006
【図５】
2004056925.tif 000007
【図６】
2004056925.tif 000008
【図７】
2004056925.tif 000009